(57)【要約】【課題】クロストークを低減し、表示品質の向上を図る。【解決手段】データ線駆動回路は、走査線駆動回路によって選択された画素行に関して、「ＬＵ」の表示領域では明補正付の左寄せ駆動、「ＬＤ」の表示領域では暗補正付の左寄せ駆動、「ＲＵ」の表示領域では明補正付の右寄せ駆動、「ＲＤ」の表示領域では暗補正付の右寄せ駆動をそれぞれ行う。【選択図】  図６
2004325571.tif 000002
【特許請求の範囲】
【請求項１】
画素を駆動させるオン電圧のパルス幅をデータに基づいて設定するパルス幅変調によって、画素の階調表示を行う電気光学装置において、
複数の走査線と、
複数のデータ線と、
前記走査線と前記データ線との交差に対応して設けられた複数の画素と、
前記複数の走査線に走査信号を出力することによって、前記複数の画素の中から、データの書込対象となる画素行を選択する走査線駆動回路と、
前記走査線駆動回路によって選択された前記画素行に対するデータの書き込みを、所定の期間の前半に前記オン電圧を設定する第１のパルス幅変調方式と、前記所定の期間の後半に前記オン電圧を設定する第２のパルス幅変調方式とを用いて行うとともに、前記画素行における階調群が本来の階調群よりも分散が大きくなるようなパルス幅を有する前記オン電圧のセットを、前記複数のデータ線を介して、前記画素行に供給するデータ線駆動回路と
を有することを特徴とする電気光学装置。
【請求項２】
前記画素行は、第１の表示領域と、第２の表示領域と、第３の表示領域と、第４の表示領域とを含み、
前記データ線駆動回路は、
前記第１の表示領域に対して、前記第１のパルス幅変調方式によって、本来の階調よりも階調を増加させたパルス幅を有する前記オン電圧を供給し、
前記第２の表示領域に対して、前記第１のパルス幅変調方式によって、本来の階調よりも階調を低下させたパルス幅を有する前記オン電圧を供給し、
前記第３の表示領域に対して、前記第２のパルス幅変調方式によって、本来の階調よりも階調を増加させたパルス幅を有する前記オン電圧を供給し、
前記第４の表示領域に対して、前記第２のパルス幅変調方式によって、本来の階調よりも階調を低下させたパルス幅を有する前記オン電圧を供給することを特徴とする請求項１に記載された電気光学装置。
【請求項３】
前記第１の表示領域と、前記第２の表示領域と、前記第３の表示領域と、前記第４の表示領域とは、前記画素行において均一に分散していることを特徴とする請求項２に記載された電気光学装置。
【請求項４】
前記データ線駆動回路は、
第１のフレームにおける一の表示領域に対して、本来の階調よりも階調を増加させたパルス幅を有する前記オン電圧を供給した場合、前記第１のフレームに続く第２のフレームにおける前記一の表示領域に対して、本来の階調よりも階調を低下させたパルス幅を有する前記オン電圧を供給することを特徴とする請求項２または３に記載された電気光学装置。
【請求項５】
前記データ線駆動回路は、
第１の走査線と第１のデータ線との交差に対応する表示領域に対して、前記第１のパルス幅変調方式および前記第２のパルス幅変調方式の一方を用いた場合、前記第１の走査線の次に選択される第２の走査線と前記第１のデータ線との交差に対応する表示領域に対して、前記第１のパルス幅変調方式および前記第２のパルス幅変調方式の他方を用いることを特徴とする請求項２から４のいずれかに記載された電気光学装置。
【請求項６】
前記表示領域は、前記画素単位、または、前記画素を構成するサブピクセル単位で設定されていることを特徴とする請求項２から５のいずれかに記載された電気光学装置。
【請求項７】
前記データ線駆動回路は、前記表示領域の種類に応じて、複数の異なる階調規定信号のいずれかを選択し、当該選択された階調規定信号に基づいて、前記オン電圧のパルス幅と、前記所定の期間における前記オン電圧の設定時期とを決定することを特徴とする請求項２から６のいずれかに記載された電気光学装置。
【請求項８】
請求項１から７のいずれかに記載された電気光学装置を実装したことを特徴とする電子機器。
【請求項９】
複数の走査線と、複数のデータ線と、前記走査線と前記データ線との交差に対応して設けられた複数の画素とを有し、前記画素を駆動させるオン電圧のパルス幅をデータに基づいて設定するパルス幅変調によって、画素の階調表示を行う電気光学装置の駆動方法において、
前記複数の画素の中から、データの書込対象となる画素行を選択する第１のステップと、
前記画素行における階調群が本来の階調群よりも分散が大きくなるような画像処理をデータに施す第２のステップと、
所定の期間の前半に前記オン電圧を設定する第１のパルス幅変調方式と、前記所定の期間の後半に前記オン電圧を設定する第２のパルス幅変調方式とを用いて、前記画素行に対して、前記画像処理が施されたデータを供給する第３のステップと
を有することを特徴とする電気光学装置の駆動方法。
【請求項１０】
前記画素行は、
前記第１のパルス幅変調方式を用いて、本来の階調よりも階調を増加させる第１の表示領域と、
前記第１のパルス幅変調方式を用いて、本来の階調よりも階調を低下させる第２の表示領域と、
前記第２のパルス幅変調方式を用いて、本来の階調よりも階調を増加させる第３の表示領域と、
前記第２のパルス幅変調方式を用いて、本来の階調よりも階調を低下させる第４の表示領域と
を有することを特徴とする請求項９に記載された電気光学装置の駆動方法。
【請求項１１】
前記第１の表示領域と、前記第２の表示領域と、前記第３の表示領域と、前記第４の表示領域とは、前記画素行において均一に分散していることを特徴とする請求項１０に記載された電気光学装置の駆動方法。
【請求項１２】
第１のフレームにおいて、一の表示領域を本来の階調よりも階調を増加させた場合、前記第１のフレームに続く第２のフレームにおいて、前記一の表示領域を本来の階調よりも階調を低下させることを特徴とする請求項１０または１１に記載された電気光学装置の駆動方法。
【請求項１３】
第１の走査線と第１のデータ線との交差に対応する表示領域に対して、前記第１のパルス幅変調方式および前記第２のパルス幅変調方式の一方を用いた場合、前記第１の走査線の次に選択される第２の走査線と前記第１のデータ線との交差に対応する表示領域に対して、前記第１のパルス幅変調方式および前記第２のパルス幅変調方式の他方を用いることを特徴とする請求項１０から１２のいずれかに記載された電気光学装置の駆動方法。
【請求項１４】
前記表示領域は、前記画素単位、または、前記画素を構成するサブピクセル単位で設定されていることを特徴とする請求項１０から１３のいずれかに記載された電気光学装置の駆動方法。
【請求項１５】
複数の異なる階調規定信号を有し、それぞれの階調規定信号は、各階調における前記オン電圧のパルス幅を規定しており、
前記第２のステップは、前記複数の階調規定信号のいずれかを選択し、当該選択された階調規定信号に基づいて、前記オン電圧のパルス幅と、前記所定の期間における前記オン電圧の設定時期とを決定するステップを含むことを特徴とする９から１４のいずれかに記載された電気光学装置の駆動方法。
【請求項１６】
前記第２のステップは、データを構成する階調値そのものを増減するステップを含むことを特徴とする請求項９から１４のいずれかに記載された電気光学装置の駆動方法。
【発明の詳細な説明】
【０００１】
【発明の属する技術分野】
本発明は、電気光学装置、電気光学装置の駆動方法および電子機器に係り、特に、複数のパルス幅変調方式を併用したクロストーク対策に関する。
【０００２】
【従来の技術】
従来より、クロストーク、すなわち、水平方向（画素行方向）における表示ムラの低減を図る技術が提案されている。例えば、特許文献１には、右寄せ駆動と左寄せ駆動とを併用したパルス幅変調方式が開示されている。右寄せ駆動と左寄せ駆動とでは、オン電圧・オフ電圧間の切り換えに伴うデータ線の電圧変化が逆方向になる関係上、走査線上の電圧に作用する微分波状のノイズ（電圧歪み）の方向も逆になる。したがって、立ち上がりノイズと立ち下がりノイズとが走査線上において相殺される。その結果、理想に近い選択電圧の波形が得られるため、クロストークの低減を図ることができる。
【０００３】
【特許文献１】
特開平１１−５２３３３号公報。
【０００４】
【発明が解決しようとする課題】
しかしながら、上述した従来の技術では、右寄せ駆動における電圧変化タイミングと、左寄せ駆動におけるそれとが離れているケース（例えば、明るい同一階調の表示時）において、十分なノイズ相殺効果を得ることができないという問題がある。
【０００５】
本発明は、かかる事情に鑑みてなされたものであり、その目的は、クロストークを一層効果的に低減することで、表示品質の向上を図ることである。
【０００６】
【課題を解決するための手段】
かかる課題を解決するために、第１の発明は、画素を駆動させるオン電圧のパルス幅をデータに基づいて設定するパルス幅変調によって、画素の階調表示を行う電気光学装置を提供する。この電気光学装置は、複数の走査線と、複数のデータ線と、走査線とデータ線との交差に対応して設けられた複数の画素と、走査線駆動回路と、データ線駆動回路とを有する。走査線駆動回路は、複数の走査線に走査信号を出力することによって、複数の画素の中から、データの書込対象となる画素行を選択する。データ線駆動回路は、走査線駆動回路によって選択された画素行に対するデータの書き込みを、所定の期間の前半にオン電圧を設定する第１のパルス幅変調方式と、所定の期間の後半にオン電圧を設定する第２のパルス幅変調方式とを用いて行う。また、データ線駆動回路は、画素行における階調群が本来の階調群よりも分散が大きくなるようなパルス幅を有するオン電圧のセットを、複数のデータ線を介して、画素行に供給する。
【０００７】
ここで、第１の発明において、画素行は、第１の表示領域と、第２の表示領域と、第３の表示領域と、第４の表示領域とを含んでいてもよい。この場合、データ線駆動回路は、第１の表示領域に対して、第１のパルス幅変調方式によって、本来の階調よりも階調を増加させたパルス幅を有するオン電圧を供給する。データ線駆動回路は、第２の表示領域に対して、第１のパルス幅変調方式によって、本来の階調よりも階調を低下させたパルス幅を有するオン電圧を供給する。データ線駆動回路は、第３の表示領域に対して、第２のパルス幅変調方式によって、本来の階調よりも階調を増加させたパルス幅を有するオン電圧を供給する。また、データ線駆動回路は、第４の表示領域に対して、第２のパルス幅変調方式によって、本来の階調よりも階調を低下させたパルス幅を有するオン電圧を供給する。この場合、第１の表示領域と、第２の表示領域と、第３の表示領域と、第４の表示領域とは、画素行において均一に分散していることが好ましい。
【０００８】
また、第１の発明において、画像の粒状感を解消すべく、フレーム・レート・コントロールを用いることが好ましい。この場合、データ線駆動回路は、第１のフレームにおける一の表示領域に対して、本来の階調よりも階調を増加させたパルス幅を有するオン電圧を供給した場合、第１のフレームに続く第２のフレームにおける一の表示領域に対して、本来の階調よりも階調を低下させたパルス幅を有するオン電圧を供給する。
【０００９】
第１の発明において、データ線駆動回路は、消費電力の低減を図るべく、第１の走査線と第１のデータ線との交差に対応する表示領域に対して、第１のパルス幅変調方式および第２のパルス幅変調方式の一方を用いた場合、第１の走査線の次に選択される第２の走査線と第１のデータ線との交差に対応する表示領域に対して、第１のパルス幅変調方式および第２のパルス幅変調方式の他方を用いることが好ましい。
【００１０】
第１の発明において、表示領域は、画素単位、または、画素を構成するサブピクセル単位で設定されていることが好ましい。
【００１１】
第１の発明において、データ線駆動回路は、表示領域の種類に応じて、複数の異なる階調規定信号のいずれかを選択し、選択された階調規定信号に基づいて、オン電圧のパルス幅と、所定の期間におけるオン電圧の設定時期とを決定してもよい。
【００１２】
第２の発明は、上記第１の発明に係る電気光学装置を実装した電子機器を提供する。
【００１３】
第３の発明は、複数の走査線と、複数のデータ線と、走査線とデータ線との交差に対応して設けられた複数の画素とを有し、画素を駆動させるオン電圧のパルス幅をデータに基づいて設定するパルス幅変調によって、画素の階調表示を行う電気光学装置の駆動方法を提供する。この駆動方法は、複数の画素の中から、データの書込対象となる画素行を選択する第１のステップと、画素行における階調群が本来の階調群よりも分散が大きくなるような画像処理をデータに施す第２のステップと、所定の期間の前半にオン電圧を設定する第１のパルス幅変調方式と、所定の期間の後半にオン電圧を設定する第２のパルス幅変調方式とを用いて、画素行に対して、画像処理が施されたデータを供給する第３のステップとを有する。
【００１４】
ここで、第３の発明において、画素行は、第１のパルス幅変調方式を用いて、本来の階調よりも階調を増加させる第１の表示領域と、第１のパルス幅変調方式を用いて、本来の階調よりも階調を低下させる第２の表示領域と、第２のパルス幅変調方式を用いて、本来の階調よりも階調を増加させる第３の表示領域と、第２のパルス幅変調方式を用いて、本来の階調よりも階調を低下させる第４の表示領域とを有することが好ましい。この場合、第１の表示領域と、第２の表示領域と、第３の表示領域と、第４の表示領域とは、画素行において均一に分散していることが望ましい。
【００１５】
第３の発明において、第１のフレームで一の表示領域を本来の階調よりも階調を増加させた場合、第１のフレームに続く第２のフレームにおいて、一の表示領域を本来の階調よりも階調を低下させることが好ましい。
【００１６】
第３の発明において、第１の走査線と第１のデータ線との交差に対応する表示領域に対して、第１のパルス幅変調方式および第２のパルス幅変調方式の一方を用いた場合、第１の走査線の次に選択される第２の走査線と第１のデータ線との交差に対応する表示領域に対して、第１のパルス幅変調方式および第２のパルス幅変調方式の他方を用いることが好ましい。
【００１７】
第３の発明において、表示領域は、画素単位、または、画素を構成するサブピクセル単位で設定されていることが好ましい。
【００１８】
第３の発明において、複数の異なる階調規定信号を用いてもよい。それぞれの階調規定信号は、各階調におけるオン電圧のパルス幅を規定している。この場合、第２のステップは、複数の階調規定信号のいずれかを選択し、選択された階調規定信号に基づいて、オン電圧のパルス幅と、所定の期間におけるオン電圧の設定時期とを決定するステップを含んでいてもよい。
【００１９】
さらに、第３の発明において、第２のステップは、データを構成する階調値そのものを増減するステップを含んでいてもよい。
【００２０】
【発明の実施の形態】
図１は、本実施形態に係る電気光学装置のブロック構成図である。表示部１は、スイッチング素子によって液晶層の駆動を行うアクティブマトリクス型のパネルであり、ｍドット×ｎライン分の電気光学素子２がマトリクス状（二次元平面的）に並んでいる。この表示部１には、それぞれが行方向（Ｘ方向）に延在するｎ本の走査線Ｙ１〜Ｙｎと、それぞれが列方向（Ｙ方向）に延在するｍ本のデータ線Ｘ１〜Ｘｍとが設けられている。走査線Ｙ１〜Ｙｎおよびデータ線Ｘ１〜Ｘｍは、互いに交差しており、この交差に対応して（具体的には１本の走査線Ｙと３本のデータ線Ｘとの交差に対応して）、画素が配置されている。
【００２１】
図２に示すように、画像の最小表示単位である１つの画素Ｐは、Ｒ（赤）、Ｇ（緑）、Ｂ（青）の３つのサブピクセルで構成されており、１つのサブピクセルに対応して１つの電気光学素子２が設けられている。したがって、１フレームの画像全体における画素Ｐの個数は、（ｍドット／３）×ｎラインになる。以下の説明において、表示部１上に存在する特定の画素Ｐを指定する場合、Ｘ方向の位置を規定するデータ線Ｘの添字１〜ｍと、Ｙ方向の位置を規定する走査線Ｙの添字１〜ｎとを用いて表現し、左上を（１，１）、右下を（ｍ／３，ｎ）とする。例えば、最上の走査線Ｙ１に対応する画素行（１水平ライン上の画素群）に関しては、左から順にＰ（１，１），Ｐ（２，１），（３，１），・・・，Ｐ（ｍ／３，１）で表される。
【００２２】
図３は、１ドットを構成する電気光学素子２の等価回路図である。１つの電気光学素子２は、直列に接続されたＴＦＤ２０と液晶容量２１とを有する。ＴＦＤ２０は、二端子型スイッチング素子の一つであって、非線形な電流−電圧特性を有する。すなわち、電圧（絶対値｜Ｖ｜）が零付近では電流が殆ど流れないが、これが閾値電圧｜Ｖｔｈ｜を超えると、その増加とともに電流が急激に流れる。ＴＦＤ２０の一端は、走査線Ｙ（ＹはＹ１〜Ｙｎのいずれかを指す）に相当する走査電極２２に接続されている。液晶容量２１は、データ線Ｘ（ＸはＸ１〜Ｘｍのいずれかを指す）に相当する信号電極２３とＴＦＤ２０の他端との間に設けられており、一対の電極と、これらの電極間に挟持された液晶層とによって構成される。走査信号とデータ信号とが電圧レベルで電気光学素子２に供給されると、ＴＦＤ２０がオンすることを前提として、液晶容量２１が充放電される。そして、液晶容量２１の電極間に生じた電位差によって、液晶層の透過率（または反射率）が設定され、これに応じた画素の階調表示が行われる。なお、同図では、ＴＦＤ２０が走査電極２２側に設けられ、液晶容量２１が信号電極２３側に設けられているが、両者を逆の接続関係にしてもよい。
【００２３】
タイミング信号生成回路５は、上位装置より入力される垂直同期信号Ｖｓ、水平同期信号Ｈｓおよびドットクロック信号ＤＣＬＫといった外部信号に基づいて、各種の内部信号を生成する。これらの内部信号による同期制御の下、走査線駆動回路３とデータ線駆動回路４とは、互いに協働して表示部１の表示制御を行う。内部信号としては、極性指示信号ＰＯＬ、走査線駆動系の信号ＤＹ，ＣＬＹおよびデータ線駆動系の信号ＬＰ，ＣＬＸ，ＤＸ，ＧＣＰ１〜４，ＳＥＬ１〜ＳＥＬｍ等が挙げられる。
【００２４】
ここで、極性指示信号ＰＯＬは、液晶の交流駆動を行う際の電圧極性を指示する信号であり、走査線駆動回路３とデータ線駆動回路４との双方に出力される。また、走査線駆動系の信号のうち、スタートパルスＤＹは１垂直走査期間（１Ｆ）を規定する信号であり、１Ｆの開始時にパルス状に立ち上る。クロック信号ＣＬＹは、１水平ラインの選択期間（１水平走査期間（１Ｈ））を規定する信号であり、１Ｈの周期を有する。一方、データ線駆動系の信号のうち、ラッチパルスＬＰは、１Ｈの最初に出力されるパルス信号であって、クロック信号ＣＬＹのレベル遷移時、すなわち、立ち上がり時および立ち下がり時にパルス状に立ち上がる。クロック信号ＣＬＸは、画素へのデータ書込用のドットクロック信号である。スタート信号ＤＸは、１画素行分のデータの取り込みを開始するタイミングを規定している。階調規定信号ＧＣＰ１〜ＧＣＰ４は、それぞれの階調のパルス幅を規定するが、これが４つ設けられている理由は、後述するように、２種類の階調補正（階調の増加および階調の低下）と２種類のパルス幅変調方式との組み合わせに対応するためである。選択信号ＳＥＬ１〜ＳＥＬｍは、階調規定信号ＧＣＰ１〜ＧＣＰ４のいずれかをデータ線単位で選択する信号である。
【００２５】
電圧生成回路６は、６値の固定電圧±Ｖｓｉｇ，±Ｖｈｌｄ，±Ｖｓｅｌを生成する。正負の信号電圧±Ｖｓｉｇは、データ線駆動回路４に供給され、正負の選択電圧±Ｖｓｅｌおよび正負の保持電圧±Ｖｈｌｄ（｜Ｖｈｌｄ｜＜｜Ｖｓｅｌ｜）は、走査線駆動回路３に供給される。なお、電圧極性は、基準電圧Ｖｓｓを基準として定められ、これよりも高電圧側を正極とし、これよりも低電圧側を負極とする。
【００２６】
走査線駆動回路３は、シフトレジスタ、出力回路等を主体に構成されており、走査線Ｙ１〜Ｙｎに走査信号を出力することによって、１Ｈ毎に、走査線Ｙ１〜Ｙｎを順番に選択していく。このような線順次走査により、１Ｆにおいて、所定の走査方向に（一般的には最上から最下に向かって）、データの書込対象となる画素行が順番に選択されていく。ここで、走査信号の電圧レベルとしては、正負の選択電圧±Ｖｓｅｌおよび正負の保持電圧±Ｖｈｌｄがあり、これらの極性は極性指示信号ＰＯＬに基づいて決定される。極性指示信号ＰＯＬがＬレベルの場合（正極指示時）、正極の選択電圧＋Ｖｓｅｌが設定され、これがＨレベルの場合（負極指示時）、負極の選択電圧−Ｖｓｅｌが設定される。また、選択すべき走査線Ｙに対して、一方の極性の選択電圧（例えば＋Ｖｓｅｌ）が印加された場合、その選択直後には、先の選択電圧と同極性の保持電圧（例えば＋Ｖｈｌｄ）が印加される。走査線Ｙ１〜Ｙｎに印加する電圧極性は１フレーム毎に反転する。また、フリッカの低減等を図るべく、同一フレームにおいて、奇数番目の走査線Ｙと偶数番目の走査線Ｙとでは逆極性の電圧が印加される。
【００２７】
データ線駆動回路４は、走査線駆動回路３によって選択された画素行に対するデータの書き込みを行う。具体的には、今回の１Ｈでデータを書き込むべき画素行に対するデータの一斉出力と、次の１Ｈでデータを書き込むべき画素行に関するデータの点順次的なラッチとが並行して行われる。図４は、データ線駆動回路４の回路図であり、図５は、データ線駆動系のタイミングチャートである。
【００２８】
データ線駆動回路４は、ｍ／３ビットのシフトレジスタ４１、ｍ個のレジスタ４２、ラッチ回路４３およびパルス生成回路４４で構成されている。シフトレジスタ４１は、１Ｈの最初に出力されるスタート信号ＤＸのワンショットパルスをクロック信号ＣＬＸにしたがって転送し、ラッチ信号Ｓ１，Ｓ２，Ｓ３，…，Ｓｍ／３のレベルを順次排他的にＨレベルに設定する。Ｒ用のレジスタ４２のそれぞれは、対応するラッチ信号Ｓ１，Ｓ２，Ｓ３，…，Ｓｍ／３の立ち上がり時において、シリアルに入力されたデータＲ（ｍ／３ドット分）を順次ラッチする。Ｇ用およびＢ用のレジスタ４２についても同様であり、シリアルデータであるデータＧ，Ｂを順次ラッチする。ラッチ回路４３は、レジスタ４２に記憶されたｍドット分のデータＤをラッチパルスＬＰの立ち上がり時（次の１Ｈ）においてラッチし、これらを後段のパルス生成回路４４に同時に出力する。
【００２９】
パルス生成回路４４は、データＤに応じたパルス幅を有する電圧レベルの信号を生成し、これを対応するデータ線Ｘに出力する。データ線Ｘの設定電圧としては、正負の信号電圧±Ｖｓｉｇがある。信号電圧±Ｖｓｉｇのうち、どちらが「オン電圧Ｖｏｎ」（液晶を駆動させる電圧）になるかは、走査線Ｙに印加される選択電圧±Ｖｓｅｌの極性に依存しており、選択電圧と逆極性の方がオン電圧Ｖｏｎとなる。すなわち、正の選択電圧＋Ｖｓｅｌが印加されている場合、負の信号電圧−Ｖｓｉｇがオン電圧Ｖｏｎとなり、正の信号電圧＋Ｖｓｉｇが「オフ電圧Ｖｏｆｆ」（液晶を駆動させない電圧）となる。一方、負の選択電圧−Ｖｓｅｌが印加されている場合、正の信号電圧＋Ｖｓｉｇがオン電圧Ｖｏｎとなり、負の信号電圧−Ｖｓｉｇがオフ電圧Ｖｏｆｆとなる。なお、本実施形態では、オン電圧Ｖｏｎとして、｜Ｖｓｅｌ｜の１値を用いているが、複数の電圧を用いて、オン電圧Ｖｏｎを設定することも理論上は可能である。
【００３０】
画素の表示階調は、走査線Ｙに選択電圧±Ｖｓｅｌが印加される選択期間（１Ｈ）に占めるオン電圧の時間密度（すなわちオン・デューティ比）に依存している。以下、ノーマリホワイトモードで駆動する液晶を例に説明する。まず、選択期間（１Ｈ）の全期間に亘って、オフ電圧Ｖｏｆｆを印加した場合（オン・デューティ比＝０）、液晶電圧Ｖｌｃｄが電圧Ｖｗ（＝｜Ｖｓｅｌ−Ｖｓｉｇ｜−｜Ｖｔｈ｜）相当になるまで、ＴＦＤ２０がオンして、液晶容量２１に電荷が蓄積される。しかしながら、Ｖｌｃｄ＝Ｖｗの場合には、液晶層が駆動する閾電圧を超えないので、白表示となる。一方、選択期間の一部でオン電圧Ｖｏｎを印加した場合（オン・デューティ比≠０）、白表示時よりも多くの電荷が液晶容量２１に蓄積され、液晶電圧Ｖｌｃｄが液晶層の閾電圧を超える。これにより、液晶層が駆動して中間調（グレー）が表示される。そして、オン・デューティ比の増加に伴い、表示が黒に近づいていく。
【００３１】
本実施形態では、画素行（画像の水平方向）の階調の集中を抑制すべく、画素行における階調群の分散が本来の階調群のそれよりも大きくなるような画像処理をデータに施した上で、画素行に対して２種類のパルス幅変調方式を併用する。具体的には、画素行を構成するそれぞれの表示領域に対して、階調が増減が行われる。このような手法には様々なものが考えられるが、本実施形態では、図２に示した画素ブロックＰＢに関する設定をパターンとし、この設定パターンを画像平面上のすべての画素ブロックＰＢに対して繰り返し適用する。
【００３２】
図６は、設定パターンとなる画素ブロックＰＢの一例を示す図である。この例では、２×２画素（６×２サブビクセル）で構成される画素ブロックＰＢを１つの設定パターンとし（同図（ａ））、この設定パターンにしたがって、すべての画素ブロックＰＢに関する階調の増減が行われる。ここで、同図（ａ）に示した４つの記号のうち、「ＬＵ」は明補正（Ｕｐ）付の左寄せ駆動（Ｌｅｆｔ）が行われる表示領域、「ＬＤ」は暗補正（Ｄｏｗｎ）付の左寄せ駆動が行われる表示領域、「ＲＵ」は明補正付の右寄せ駆動（Ｒｉｇｈｔ）が行われる表示領域、「ＲＤ」は暗補正付の右寄せ駆動が行われる表示領域をそれぞれ意味している。
【００３３】
ここで、「明補正」とは、本来の階調よりも高輝度側に階調を変化させる補正をいい、「暗補正」とは、本来の階調よりも低輝度側に階調を変化させる補正をいう。ノーマリホワイトモードで駆動する液晶の場合、前者は階調を低下させる補正となり、後者は階調を増加させる補正となる。また、「右寄せ駆動」とは、所定の期間の後半にオン電圧Ｖｏｎ（前半にオフ電圧Ｖｏｆｆ）を設定するパルス幅変調方式をいい、「左寄せ駆動」とは、所定期間の前半にオン電圧Ｖｏｎ（後半にオフ電圧Ｖｏｆｆ）を設定するパルス幅変調方式をいう。また、「パルス幅変調方式」とは、データに基づいて、オン電圧Ｖｏｎのパルス幅を設定する変調方式をいう。
【００３４】
同図（ｂ）に示すように、明補正「Ｕ」および暗補正「Ｄ」は、１サブピクセル単位（１ドット単位）で行われる。また、この設定パターンにおいて、「Ｕ」の表示領域の数と「Ｄ」のそれとは同数であり、両者は水平方向および垂直方向において交互に設定されている。例えば、同図（ｃ）に示すように、補正前の画素ブロックＰＢの階調値がすべて１６の場合、上の画素行に関しては、画素Ｐ（１，１）のＲ，Ｂの階調値と画素Ｐ（２，１）のＧの階調値とを８（＝１６−α（例えばα＝８））に低下し、画素Ｐ（１，１）のＧの階調値と画素Ｐ（２，１）のＲ，Ｂの階調値とを２４（＝１６＋α）に増加する。また、下の画素行Ｐ（１，２），Ｐ（２，２）に関しては、上の画素行Ｐ（１，１），Ｐ（２，１）における階調値の並びを１サブピクセル分だけ水平方向にスライドさせた並びに設定する。補正後の画素ブロックＰＢ全体の平均階調は補正前と同じ１６であるから、面積階調的には、オリジナルとほぼ同様の階調が維持される（ただし、多少の粒状感がでることがある）。このような階調の増減をサブピクセル単位で交互に行うことによって、１フレームの画像全体、特に、それぞれの画素行における階調が均一に分散する。
【００３５】
なお、階調値の増減に用いられる上記αに関しては、Ｒ，Ｇ，Ｂに対して同一値を適用してもよいが、Ｒ，Ｇ，Ｂの特性を考慮した上で、個別に設定してもよい。また、階調値の増加用のαと、階調値の低下用のαとを異なる値に設定することも可能である。
【００３６】
また、この設定パターンでは、Ｒ，Ｇ，Ｂのすべてに対して、階調の増減を行っているが、一部のサブピクセル（例えばＧ）に関しては、階調の増減を行わなくてもよい。
【００３７】
一方、右寄せ駆動「Ｒ」および左寄せ駆動「Ｌ」は、２サブピクセル単位（２ドット単位）で行われる。また、この設定パターンにおいて、「Ｒ」の表示領域の数と「Ｌ」のそれとは同数であり、両者は水平方向および垂直方向において交互に設定されている。したがって、１フレームの画像全体、特に、それぞれの画素行に関して、右寄せ駆動と左寄せ駆動とが均一に行われる。また、「Ｒ」の表示領域の直下に位置する表示領域は「Ｌ」に設定されており、「Ｌ」の表示領域の直下に位置する表示領域は「Ｒ」に設定されている。その理由は、走査線の電圧極性を１Ｈ毎に反転させる１Ｈ反転駆動、或いは、これを０．５Ｈ毎に反転させる０．５Ｈ選択駆動において、電圧を変化させる回数を減らして、消費電力の低減を図るためである。
【００３８】
１つの画素行には、「ＬＵ」の表示領域と、「ＬＤ」の表示領域と、「ＲＵ」の領域と、「ＲＤ」の領域とが存在し、これらは均一に分布している。４つのモード「ＬＵ」，「ＬＤ」，「ＲＵ」，「ＲＤ」による制御を実現するために、本実施形態では、それぞれが異なるパルス幅を規定する４つの階調規定信号ＧＣＰ１〜ＧＣＰ４を用いる。つまり、データを構成する階調値そのものを直接増減させるのではなく、モード（表示領域の種類）に応じた階調規定信号ＧＣＰを選択することで、階調の増減を行う。図７は、一例として、１６階調における階調規定信号ＧＣＰ１〜ＧＣＰ４の説明図である。なお、同図では、階調値とオン電圧Ｖｏｎのパルス幅（オン・デューティ比）との関係が直線的に示されているが、これは概略であって、実際には、液晶の特性を考慮した非線形な関係になる。
【００３９】
第１の階調規定信号ＧＣＰ１は、暗補正付の右寄せ駆動「ＲＤ」における各階調のパルス幅を規定しており、第２の階調規定信号ＧＣＰ２は、明補正付の右寄せ駆動「ＲＵ」におけるそれを規定している。また、第３の階調規定信号ＧＣＰ３は、暗補正付の左寄せ駆動「ＬＤ」における各階調のパルス幅を規定しており、第４の階調規定信号ＧＣＰ４は明補正付の左寄せ駆動「ＬＵ」におけるそれを規定している。
【００４０】
ここで、暗補正に関する第１および第３の階調規定信号ＧＣＰ１，ＧＣＰ３については、二点鎖線で示した本来の階調特性よりもオン電圧Ｖｏｎを供給するパルス幅（オン・デューティ比）が長く設定されている。したがって、これらの信号ＧＣＰ１，ＧＣＰ３を用いた場合には、全階調に亘って表示が暗くなる。これに対して、明補正に関する第２および第４の階調規定信号ＧＣＰ２，ＧＣＰ４については、本来の階調特性よりもパルス幅が短く設定されているため、これらを用いた場合には、全階調に亘って表示が明るくなる。一方、右寄せ駆動に関する第１および第２の階調規定信号ＧＣＰ１，ＧＣＰ２については、前者が、低階調側の方が高階調側よりもパルス幅の変化が大きくなっているのに対して、後者では、低階調側よりも高階調側の方がパルス幅の変化が大きくなっている。左寄せ駆動に関する第３および第４の階調規定信号ＧＣＰ３，ＧＣＰ４についても、同様の関係になっている。
【００４１】
図８は、データ線駆動回路４の後段に位置するパルス生成回路４４の回路図であり、図９は、パルス生成系のタイミングチャートである。このパルス生成回路４４は、データ線Ｘ１〜Ｘｍのそれぞれに対応したｍ個の回路ユニット５０、４個のカウンタ４８ａ〜４８ｄおよび電圧切換部４９で構成されている。それぞれの回路ユニット５０はスイッチ部４５，４７と比較器４６とを有する。ダウンカウンタ４８ａ，４８ｂは、ラッチパルスＬＰの立ち上がり時（リセット時）に、カウント値ＣＴ１，ＣＴ２を最大階調値に相当する初期値「１５」にリセットする。一方のダウンカウンタ４８ａは、第１の階調規定信号ＧＣＰ１の立ち上がり毎にカウント値ＣＴ１をデクリメントし、他方のダウンカウンタ４８ｂは、第２の階調規定信号ＧＣＰ２の立ち上がり毎にカウント値ＣＴ２をデクリメントしていく。アップカウンタ４８ｃ，４８ｄは、ラッチパルスＬＰの立ち上がり時に、カウント値ＣＴ３，ＣＴ４を最小階調に相当する初期値「０」にリセットする。一方のアップカウンタ４８ｃは、第３の階調規定信号ＧＣＰ３の立ち上がり毎にカウント値ＣＴ３をインクリメントし、他方のアップカウンタ４８ｄは、第４の階調規定信号ＧＣＰ４の立ち上がり毎にカウント値ＣＴ４をインクリメントしていく。これらのカウンタ４８ａ〜４８ｄにおいてカウントされたカウント値ＣＴ１〜ＣＴ４は、後段の回路ユニット５０のすべてに出力される。
【００４２】
電圧切換部４９は、極性指示信号ＰＯＬに基づいた極性で、オン電圧Ｖｏｎおよびオフ電圧Ｖｏｆｆを設定する。具体的には、極性指示信号ＰＯＬがＬレベルの場合（選択電圧＝＋Ｖｓｅｌ）、オン電圧Ｖｏｎが−Ｖｓｉｇ、オフ電圧Ｖｏｆｆが＋Ｖｓｉｇに設定される。一方、極性指示信号ＰＯＬがＨレベルの場合（選択電圧＝−Ｖｓｅｌ）、オン電圧Ｖｏｎが＋Ｖｓｉｇ、オフ電圧Ｖｏｆｆが−Ｖｓｉｇに設定される。電圧切換部４９において設定された電圧Ｖｏｎ，Ｖｏｆｆは、後段の回路ユニット５０のすべてに出力される。
【００４３】
データ線単位で設けられたそれぞれの回路ユニット５０は、階調規定信号ＧＣＰ１〜ＧＣＰ４のいずれかに基づいて、データに応じたオン・デューティ比を有するデータ電圧Ｖｄａｔａを対応するデータ線Ｘに出力する。前段のスイッチ部４５は、あるデータ線Ｘに対応する選択信号ＳＥＬの指示にしたがって、カウント値ＣＴ１〜ＣＴ４のいずれかを選択し、選択したカウント値ＣＴを後段の比較器４６に出力する。すなわち、選択信号ＳＥＬによって「ＲＤ」が指示されている場合には、第１の階調規定信号ＧＣＰ１に関するカウント値ＣＴ１が選択され、「ＲＵ」の指示時には、第２の階調規定信号ＧＣＰ２に関するカウント値ＣＴ２が選択される。また、「ＬＤ」の指示時には、第３の階調規定信号ＧＣＰ３に関するカウント値ＣＴ３が選択され、「ＬＵ」の指示時には、第４の階調規定信号ＧＣＰ４に関するカウント値ＣＴ４が選択される。
【００４４】
比較器４６は、前段のラッチ回路４３にラッチされたラッチ値とカウント値ＣＴとを比較し、この比較結果を比較信号ＣＭＰとして後段のスイッチ部４７に出力する。比較信号ＣＭＰは、カウント値ＣＴがラッチ値未満であればＨレベル、カウント値ＣＴがラッチ値以上であればＬレベルとなる。したがって、デクリメントされるカウント値ＣＴ１，ＣＴ２の選択時には、カウント値ＣＴがラッチ値と一致した時点で、比較信号ＣＭＰがＬレベルからＨレベルに切り換わる。これに対して、インクリメントされるカウント値ＣＴ３，ＣＴ４の選択時には、カウント値ＣＴがラッチ値と一致した時点で、比較信号ＣＭＰがＨレベルからＬレベルに切り換わる。
【００４５】
スイッチ部４７は、比較信号ＣＭＰのレベルに応じて、オン電圧Ｖｏｎまたはオフ電圧Ｖｏｆｆを切り替え、いずれかの電圧Ｖｏｎ，Ｖｏｆｆをデータ線Ｘに出力する。比較信号ＣＭＰがＨレベルの場合にはオン電圧Ｖｏｎが選択され、これがＬレベルの場合にはオフ電圧Ｖｏｆｆが選択される。そして、両者の切り替えタイミングに応じたパルス幅を有するデータレベルの信号が、データ電圧Ｖｄａｔａとして、対応するデータ線Ｘに出力される。
【００４６】
例えば、カウント値ＣＴ１，ＣＴ２が選択された場合（「ＲＤ」，「ＲＵ」時）、選択期間（１Ｈ）の前半では、比較信号ＣＭＰがＬレベルであるから、オフ電圧Ｖｏｆｆが出力される。そして、比較信号ＣＭＰがＬレベルからＨレベルに切り換わるタイミングにおいて、オフ電圧Ｖｏｆｆからオン電圧Ｖｏｎへと切り換わり、選択期間の後半では、オン電圧Ｖｏｎが出力される。これにより、「ＲＤ」，「ＲＵ」の指示時には、共に右寄せ駆動が行われる。ただし、「ＲＤ」では、オン電圧Ｖｏｎのパルス幅ｔｒｄが本来の階調特性よりも長く設定されているため、その分だけ表示が暗くなる。これに対して、「ＲＵ」では、オン電圧Ｖｏｎのパルス幅ｔｒｕが本来の階調特性よりも短く設定されているため、その分だけ表示が明るくなる。
【００４７】
一方、カウント値ＣＴ３，ＣＴ４が選択された場合（「ＬＤ」，「ＬＵ」時）、選択期間（１Ｈ）の前半では、比較信号ＣＭＰがＨレベルであるから、オン電圧Ｖｏｎが出力される。そして、比較信号ＣＭＰがＨレベルからＬレベルに切り換わるタイミングにおいて、オン電圧Ｖｏｎからオフ電圧Ｖｏｆｆへと切り換わり、選択期間の後半では、オフ電圧Ｖｏｆｆが出力される。これにより、「ＬＤ」，「ＬＵ」の指示時には、共に左寄せ駆動が行われる。ただし、「ＬＤ」では、オン電圧Ｖｏｎのパルス幅ｔｌｄが本来の階調のそれと比較して長く設定されているため、その分だけ表示が暗くなる（本来の階調よりも階調が増加する）。また、「ＬＵ」時には、オン電圧Ｖｏｎのパルス幅ｔｌｕが本来の階調のそれと比較して短く設定されているため、その分だけ表示が明るくなる（本来の階調よりも階調が低下する）。
【００４８】
図６に示したパターンの設定は、選択信号ＳＥＬ１〜ＳＥＬｍの指示によって実現することができる。換言すれば、表示領域の種類に応じて、階調規定信号ＧＣＰ１〜ＧＣＰ４のいずれかが選択される。例えば、４つの画素Ｐ（１，１），Ｐ（２，１），Ｐ（１，２），Ｐ（２，２）で構成される画素ブロックＰＢについては、データ線Ｘ１〜Ｘ６に対応する選択信号ＳＥＬ１〜ＳＥＬ６によって、階調規定信号ＧＣＰを下記のように選択すればよい。
【００４９】
2004325571.tif 000003
このような選択によって、走査線Ｙ１（またはＹ２）に対応する画素行に対するデータ電圧Ｖｄａｔａのセット（データ線Ｘの本数に相当するｍ個のデータ電圧Ｖｄａｔａ）が一義的に決定される。それぞれのデータ電圧Ｖｄａｔａが規定するオン電圧Ｖｏｎの設定時期（１Ｈにおける前半、後半の区別）によって、パルス幅変調の種類（右寄せ駆動、左寄せ駆動）が決定される。また、それぞれのデータ電圧Ｖｄａｔａが規定するオン電圧Ｖｏｎのパルス幅によって、対応する画素の表示階調が決定される。つまり、階調規定信号ＧＣＰの選択によって、画素行における階調群が本来の階調群よりも分散が大きくなるような画像処理と、複数のパルス幅変調の併用とが同時に実現されることになる。
【００５０】
このように、本実施形態では、右寄せ駆動と左寄せ駆動とを併用するとともに、画素行における階調群が本来の階調群よりも分散が大きくなるようなパルス幅を有するオン電圧Ｖｏｎのセットが、この画素行に対して供給される。これにより、特に、画素行方向の階調が集中しているケースにおいて、クロストークを一層効果的に低減でき、表示品質の向上を図ることができる。この点を図１０および図１１を参照しながら、従来技術との対比において説明する。
【００５１】
図１０は、右寄せ／左寄せ駆動のみを用いた場合（従来技術）におけるクロストークの説明図である。ある走査線Ｙに対応する画素行に同一階調を表示させるケースにおいて、データ線Ｘ１，Ｘ２に関しては、選択期間（１Ｈ）の前半に、パルス幅ｔ１を有するオン電圧Ｖｏｎを供給する左寄せ駆動が行われる。また、データ線Ｘ３，Ｘ４に関しては、選択期間の後半に、パルス幅ｔ２を有するオン電圧を供給する右寄せ駆動が行われる。データ線Ｘ１，Ｘ２の電圧がオン電圧Ｖｏｎからオフ電圧Ｖｏｆｆへの立ち上がった場合、データ線Ｘ１，Ｘ２と走査線Ｙとの間の容量結合によって、走査線Ｙ上の電圧に微分波状の立ち上がりノイズＮＬが作用する。また、データ線Ｘ３，Ｘ４の電圧がオフ電圧Ｖｏｆｆからオン電圧Ｖｏｎへの立ち下がった場合、走査線Ｙ上の電圧に微分波状の立ち下がりノイズＮＲが作用する。これらのノイズＮＬ，ＮＲは逆向きに作用することから、両者が近接していれば、走査線Ｙ上においてこれらが相殺される。しかしながら、特に明るい階調を表示するケースでは、この相殺効果が不十分になる。なぜなら、左寄せ駆動の電圧変化タイミングは選択期間の始めの方になり、右寄せ駆動の電圧変化タイミングは選択期間の終わりの方になって、これらのタイミングが離れてしまうからである。その結果、両者に起因したノイズＮＬ，ＮＲも離れてしまうため、ノイズＮＲ，ＮＬが逆向きであっても、十分なノイズ相殺効果を得ることができない。
【００５２】
これに対して、本実施形態では、このようなケースにおいてもノイズ相殺効果が有効に発揮される。図１１は、階調補正付の右寄せ／左寄せ駆動を用いた場合（本実施形態）におけるクロストークの説明図である。ある走査線Ｙに対応する画素行に同一階調を表示させるケースにおいて、データ線Ｘ１に関しては、選択時間の前半に、パルス幅ｔｌｕを有するオン電圧Ｖｏｎを供給する明補正付の左寄せ駆動が行われる。データ線Ｘ２に関しては、選択期間の前半に、パルス幅ｔｌｄを有するオン電圧Ｖｏｎを供給する暗補正付の左寄せ駆動が行われる。また、データ線Ｘ３に関しては、選択期間の後半に、パルス幅ｔｒｕを有するオン電圧Ｖｏｎを供給する右寄せ駆動が行われ、データ線Ｘ４に関しては、選択期間の後半に、パルス幅ｔｒｄを有するオン電圧Ｖｏｎを供給する右寄せ駆動が行われる。この場合、データ線Ｘ１〜Ｘ４の電圧変化に起因して、分散した４つのノイズＮｒｄ，Ｎｌｕ，Ｎｌｄ，Ｎｌｄが走査線上の電圧に作用しようとする。しかしながら、データ線Ｘ４の電圧変化に起因した立ち下がりノイズＮｒｄと、データ線Ｘ１の電圧変化に起因した立ち上がりノイズＮｌｕとが近接しているため、これらが相殺される。それとともに、データ線Ｘ２の電圧変化に起因した立ち上がりノイズＮｌｄと、データ線Ｘ３の電圧変化に起因した立ち下がりノイズＮｒｕとが近接しているため、これらも相殺される。
【００５３】
以上の説明から分かるように、本実施形態では、画素行における階調群の分散が大きくなるような画像処理を施した上で、この画素行に関して、右寄せ駆動と左寄せ駆動とを併用している。階調群を分散させることにより、走査線Ｙに作用するノイズも選択期間内において分散する。そのため、走査線Ｙ上の電圧に作用するノイズが分散（平均化）されるとともに、ノイズのピーク自体も抑制されるまた、結果的に、逆向きのノイズ同士が近接することになるので、これらが効果的に相殺される。さらに、液晶の印加電圧−透過率（反射率）間の非線形な特性を利用することにより、ノイズの程度が同じでも、クロストークが目立たなくなる。なぜなら、階調群の分散によって、透過率の変化の大きい中間電圧（実効電圧）から、この変化が比較的小さい飽和電圧付近に分布がシフトするからである。その結果、特に明るい同一階調の表示時においても、ノイズの影響が抑制され、理想に近い選択電圧＋Ｖｓｅｌの波形を得られるため、クロストークの低減を図ることが可能となる。
【００５４】
また、本実施形態では、ある画素行に関して、階調の増減を均一（交互）に行うとともに、右寄せ駆動および左寄せ駆動も均一（交互）に行っている。これにより、走査線上に作用するノイズが均一に分散しやすく、かつ、逆向きのノイズ同士が近接しやすいので、クロストークを一層効果的に低減できる。
【００５５】
また、隣接した表示領域の間に階調差を設けることで、視野角の拡大を図ることができる。特に、ＴＮ方の液晶では、上下方向の視野角が問題となるが、図６のように上下方向においても階調差を設ければ、かかる問題を解消することができる。なお、この点は、本出願人の先願である特願２００２−２４２４８０号に記載されているので必要ならば参照されたい。
【００５６】
また、図６に示した設定パターンによれば、上下方向において右寄せ駆動「Ｒ」と左寄せ駆動「Ｌ」とが隣り合うため、１Ｈ反転駆動時または０．５Ｈ選択駆動時における消費電力の低減を図ることができる。例えば、走査線Ｙ１とデータ線Ｘ１との交差に対応する表示領域に対して、右寄せ駆動を用いた場合、この走査線Ｙ１の次に選択される走査線Ｙ２とデータ線Ｘ１との交差に対応する表示領域に対して、左寄せ駆動を用いる。このケースにおいて、走査線Ｙ１の選択期間の終わりが負極の信号電圧−Ｖｓｉｇ（オン電圧）だった場合、次の走査線Ｙ２の選択期間の始めは先と同じく負極の信号電圧−Ｖｓｉｇ（オン電圧）となる。したがって、前後の選択期間の境界で信号電圧±Ｖｓｉｇの切り替えを行う必要がなくなる分だけ、消費電力が低減する。
【００５７】
また、上述した実施形態において、表示画像（特に自然画像）の粒状感（解像度の低下）が気になる場合には、フレーム・レート・コントロール（ＦＲＣ）を用することが好ましい。例えば、図１２に示すように、ｎ番目のフレームにおいて、階調を本来の値よりも低下させた表示領域については、次の（ｎ＋１）番目のフレームにおいて、階調を本来の値よりも増加させる。逆に、ｎ番目のフレームにおいて、階調を本来の値よりも増加させた表示領域については、次の（ｎ＋１）番目のフレームにおいて、階調を本来の値よりも低下させる。ＦＲＣ化によって、視野角拡大効果は消失するものの、画像の粒状感を有効に解消することができる。
【００５８】
また、画素ブロックＰＢの設定パターンは、図６に限定されるものではなく、そのサイズも含めて、様々なバリエーションが考えられ、本発明はどのようなパリエーションに対しても適用可能である。
【００５９】
図１３は、設定パターンとなる画素ブロックＰＢの他の一例を示す図である。図６の例と同様に、この例も２×２画素で構成される画素ブロックＰＢの設定を１つのパターンとし（同図（ａ））、この設定パターンにしたがって、すべての画素ブロックＰＢに関する階調の増減が行われる。同図（ｂ）に示すように、明補正「Ｕ」および暗補正「Ｄ」は、１画素単位（３サブピクセル単位）で行われる。また、この設定パターンにおいて、「Ｕ」の表示領域の数と「Ｄ」のそれとは同数であり、両者は水平方向および垂直方向において交互に設定されている。例えば、同図（ｃ）に示すように、補正前の画素ブロックＰＢの階調値がすべて１６の場合、上の画素行に関しては、左上の画素Ｐ（１，１）の階調値と右下の画素Ｐ（２，２）の階調値とを８（＝１６−α）に低下させ、左下の画素Ｐ（１，２）の階調値と右上の画素Ｐ（２，１）の階調値とを２４（＝１６＋α）に増加させる。この場合も、補正後の画素ブロックＰＢ全体の平均階調は補正前と同じ１６である。したがって、面積階調的には、オリジナルとほぼ同様の階調が維持される。このような階調の増減を画素単位で交互に行うことによって、１フレームの画像全体、特に、それぞれの画素行における階調群が均一に分散する。
【００６０】
この設定パターンにおいて、右寄せ駆動「Ｒ」および左寄せ駆動「Ｌ」は、２サブピクセル単位で行われる。「Ｒ」の表示領域の数と「Ｌ」のそれとは同数であり、両者は水平方向および垂直方向において交互に設定されている。したがって、１フレームの画像全体、特に、それぞれの画素行に関して、右寄せ駆動と左寄せ駆動とが均一に行われる。
【００６１】
なお、図６のようなサブピクセル単位での設定、図１３のような画素単位での設定のどちらを採用するかは任意であるが、解像度と空間周波数との関係により、パターンが目立たない方を選択することが好ましい。また、本発明は、画像平面に対して固定のパターンを一律に適用する手法に限定されるものではなく、パターンを可変に設定してもよい。例えば、画像のエッジの方向でパターンを変えることにより、ノイズ軽減のみならず、ニアレストネイバーの特徴であるジャギーの軽減を図ることも可能となる。
【００６２】
本実施形態では、データの階調値自体を変更することなく、階調規定信号ＧＣＰ１〜ＧＣＰ４の選択によって、表示階調を増減させる画像処理を行っている。しかしながら、階調規定信号ＧＣＰ１〜ＧＣＰ４の選択による画像処理に代えて、データを構成する階調値そのものを増減させる画像処理を行ってもよい。また、このような階調値の増減をソフトウェア処理によって行うことも可能である。
【００６３】
本実施形態では、スイッチング素子としてＴＦＤを用いた液晶表示装置について説明した。しかしながら、本発明はこれに限定されるものではなく、データ線（信号電極）と、走査線（走査電極）との間にクロストークが発生し得る各種の電気光学装置に広く適用可能である。
【００６４】
さらに、本実施形態に係る電気光学装置は、例えば、テレビ、プロジェクタ、携帯電話機、携帯端末、モバイル型コンピュータ、パーソナルコンピュータ等を含む様々な電子機器に実装可能である。これらの電子機器に上述した電気光学装置を実装すれば、電子機器の商品価値を一層高めることができ、市場における電子機器の商品訴求力の向上を図ることができる。
【００６５】
【発明の効果】
本発明によれば、複数のパルス幅変調方式を併用し、かつ、画素行における階調群が分散するような画像処理を施すことによって、クロストークを一層効果的に低減できるため、表示品質の向上を図ることが可能となる。
【図面の簡単な説明】
【図１】本実施形態に係る電気光学装置のブロック構成図。
【図２】画像データによって規定される画像平面を示す図。
【図３】電気光学素子の等価回路図。
【図４】データ線駆動回路の回路図。
【図５】データ線駆動系のタイミングチャート。
【図６】設定パターンとなる画素ブロックの一例を示す図。
【図７】階調規定信号の説明図。
【図８】パルス生成回路の回路図。
【図９】パルス生成系のタイミングチャート。
【図１０】右寄せ／左寄せ駆動のみを用いた場合のクロストークの説明図。
【図１１】補正付の右寄せ／左寄せ駆動を用いた場合のクロストークの説明図。
【図１２】ＦＲＣの説明図。
【図１３】設定パターンとなる画素ブロックの別の一例を示す図。
【符号の説明】
１  表示部
２  電気光学素子
３  走査線駆動回路
４  データ線駆動回路
５  タイミング信号生成回路
６  電圧生成回路
２０  ＴＦＤ
２１  液晶容量
２２  走査電極
２３  信号電極
４１  シフトレジスタ
４２  レジスタ
４３  ラッチ回路
４４  パルス生成回路
４５  スイッチ部
４６  比較器
４７  スイッチ部
４８ａ〜４８ｄ  カウンタ
４９  電圧切換部
５０  回路ユニット
【図１】
2004325571.tif 000004
【図２】
2004325571.tif 000005
【図３】
2004325571.tif 000006
【図４】
2004325571.tif 000007
【図５】
2004325571.tif 000008
【図６】
2004325571.tif 000009
【図７】
2004325571.tif 000010
【図８】
2004325571.tif 000011
【図９】
2004325571.tif 000012
【図１０】
2004325571.tif 000013
【図１１】
2004325571.tif 000014
【図１２】
2004325571.tif 000015
【図１３】
2004325571.tif 000016